(57)【要約】【課題】コスト低減が可能な表示装置を提供する。【解決手段】第１の表示窓４１と指標部４３とを有する表示板４と、この表示板４の背後に配置される表示手段３とを備え、表示手段３が視認可能な第１の表示領域ＡＲ１と不可視となる第２の表示領域ＡＲ２とを有し、第１の表示領域ＡＲ１にて任意情報からなる第１の表示画像３１を、第２の表示領域ＡＲ２にて指標部４３を指示する第２の表示画像３２をそれぞれ表示する画像表示装置からなり、表示板４であって第１の表示窓４１の外側に指標部４３に沿って延びる第２の表示窓４２を形成し、表示板４の背後であって第２の表示窓４２と第２の表示領域ＡＲ２との間に第２の表示画像３２を第２の表示窓４２側に反射することにより第２の表示窓４２を通して第２の表示画像３２を視認させる反射手段５，６を設けた。【選択図】  図２
2010164497.tif 000002
【特許請求の範囲】
【請求項１】
第１の表示窓とこの第１の表示窓の外周に沿って形成された指標部とを有する表示板と、
この表示板の背後に配置される表示手段とを備え、
前記表示手段が前記第１の表示窓を通じて視認可能な第１の表示領域と前記表示板に覆われて不可視となる第２の表示領域とを有し、前記第１の表示領域にて任意情報からなる第１の表示画像を、前記第２の表示領域にて前記指標部を指示する第２の表示画像をそれぞれ表示する画像表示装置からなり、
前記表示板であって前記第１の表示窓の外側に前記指標部に沿って延びる第２の表示窓を形成し、
前記表示板の背後であって前記第２の表示窓と前記第２の表示領域との間に前記第２の表示画像を前記第２の表示窓側に反射することにより前記第２の表示窓を通して前記第２の表示画像を視認させる反射手段を設けたことを特徴とする表示装置。
【請求項２】
前記第２の表示画像は指示すべき指標部の位置に応じて表示長が変化する帯状画像でなることを特徴とする請求項１記載の表示装置。
【請求項３】
前記反射手段が前記第２の表示領域に対向し前記第２の表示画像を前記第１の表示領域から遠ざかる方向に反射する第１の反射部材と、この第１の反射部材及び前記第２の表示窓の各々に対向し前記第１の反射部材を通じて反射された前記第２の表示画像を前記表示窓に向けて反射する第２の反射部材とでなることを特徴とする請求項１記載の表示装置。
【請求項４】
前記第２の表示窓に少なくとも観察者側に凸面を有するレンズ部材を配置したことを特徴とする請求項１記載の表示装置。
【発明の詳細な説明】
【技術分野】
【０００１】
本発明は、例えば車両用計器として使用するのに好適な表示装置に関し、特に表示板に設けた表示窓の外周にて計測値を指示する表示装置に関するものである。
【背景技術】
【０００２】
この種の表示装置として例えば下記特許文献１〜３に記載されているものが知られている。これら特許文献１〜３に記載の表示装置は、それぞれ表示板が液晶表示装置等からなる表示手段を視認可能とする表示窓を有しており、この表示窓の外周にて車速等の計測値を指示するために、表示窓の周囲に位置する表示板箇所に目盛や数字等の指標部を設け、この指標部の前方に指針を配置し、表示板の背後に設けた指針駆動機構を通じて指針を動作させて指標部を指示する構成である。
【０００３】
これら特許文献１〜３のうち、特許文献１に記載の指針駆動機構は、指針が固定され且つ表示手段を視認可能なリングギヤと、このリングギヤを支持する支持手段と、リングギヤ回転させるステッピングモータ等の駆動源とを備えており、駆動源を通じて支持手段に支持されたリングギヤを回転させ、この回転に応じて指針が指標部を指示するようになっている。
【０００４】
特許文献２に記載の指針駆動機構は、指針が固定され且つ表示手段を視認可能に設けた柔軟性材料からなるベルトと、このベルトを支持する支持手段と、ベルトを移動させるステッピングモータ等の駆動源とを備えており、駆動源を通じて支持手段に支持されたベルトを移動させ、この移動に応じて指針が指標部を指示するようになっている。
【０００５】
特許文献３に記載の指針駆動機構は、指針が固定され且つ表示手段を視認可能に設けたボールチェーンと、このボールチェーンを支持する支持手段と、ボールチェーンを移動させるステッピングモータ等の駆動源とを備えており、駆動源を通じて支持手段に支持されたボールチェーンを移動させ、この移動に応じて指針が指標部を指示するようになっている。
【先行技術文献】
【特許文献】
【０００６】
【特許文献１】特開２００６−０３８８０１号公報
【特許文献２】特開２００５−０４３２９３号公報
【特許文献３】特開２００５−１０６５８８号公報
【発明の概要】
【発明が解決しようとする課題】
【０００７】
しかしながら、前記特許文献１〜３に記載の表示装置は、何れも表示窓部の外周にて指針を動作させるべく、リングギヤやベルト、ボールチェーンといった可動体に加え、当該可動体を移動可能に支持する支持手段、可動体を駆動するための駆動源からなる大がかりな指針駆動機構を必要とするため、コストが大きく嵩むという問題がある。
【０００８】
本発明は前述の課題に着目し、コスト低減が可能な表示装置を提供することを目的とするものである。
【課題を解決するための手段】
【０００９】
本発明は、前述した課題を解決するため、第１の表示窓とこの第１の表示窓の外周に沿って形成された指標部とを有する表示板と、この表示板の背後に配置される表示手段とを備え、前記表示手段が前記第１の表示窓を通じて視認可能な第１の表示領域と前記表示板に覆われて不可視となる第２の表示領域とを有し、前記第１の表示領域にて任意情報からなる第１の表示画像を、前記第２の表示領域にて前記指標部を指示する第２の表示画像をそれぞれ表示する画像表示装置からなり、前記表示板であって前記第１の表示窓の外側に前記指標部に沿って延びる第２の表示窓を形成し、前記表示板の背後であって前記第２の表示窓と前記第２の表示領域との間に前記第２の表示画像を前記第２の表示窓側に反射することにより前記第２の表示窓を通して前記第２の表示画像を視認させる反射手段を設けたことを特徴とする。
かかる構成によれば、表示手段にて形成される第２の表示画像によって指標部が指示されるため、指針を移動させる可動体や、支持手段、駆動源といった指針駆動機構が不要となるため、コスト低減を実現することができる。
【００１０】
また本発明は、前記第２の表示画像は指示すべき指標部の位置に応じて表示長が変化する帯状画像でなることを特徴とする。
かかる構成によれば、表示長が変化する帯状画像によって指標部が指示されるため、視認性を向上させることができる。
【００１１】
また本発明は、前記反射手段が前記第２の表示領域に対向し前記第２の表示画像を前記第１の表示領域から遠ざかる方向に反射する第１の反射部材と、この第１の反射部材及び前記第２の表示窓の各々に対向し前記第１の反射部材を通じて反射された前記第２の表示画像を前記表示窓に向けて反射する第２の反射部材とでなることを特徴とする。
かかる構成によれば、必要最小限の構成にて反射手段を構成することがき、コスト低減に効果がある。
【００１２】
また本発明は、前記第２の表示窓に少なくとも観察者側に凸面を有するレンズ部材を配置したことを特徴とする。
これによれば、表示に立体感を与え、斬新な見栄えを可能とすることができる。
【発明の効果】
【００１３】
本発明によれば、初期の目的を達成することができ、コスト低減が可能な表示装置を提供することができる。
【図面の簡単な説明】
【００１４】
【図１】本発明の第１の実施形態による表示装置の正面図。
【図２】図１のＡ−Ａ断面図。
【図３】本発明の第２の実施形態による表示装置の正面図。
【発明を実施するための形態】
【００１５】
以下、本発明の実施の形態について添付図面を用いて説明する。
【００１６】
図１及び図２は、本発明による表示装置の第１の実施形態を示すもので、図１は本実施形態による表示装置の正面図、図２は図１のＡ−Ａ断面図である（ハッチングは省略）。
【００１７】
図１及び図２において、本実施形態による表示装置は、例えば自動車用のコンビネーションメータに組み込まれるもので、ケース１と、回路基板２と、表示手段３と、表示板４と、反射手段５，６と、レンズ部材７とを備えている。
【００１８】
ケース１は、例えば合成樹脂材料からなり、回路基板２を収納する。
【００１９】
回路基板２は、例えば周知の硬質回路基板からなり、図示しない各種配線パターンや回路素子を有している。
【００２０】
表示手段３は、表示素子として例えばドットマトリックス型の液晶パネルを用い、各種光学部品やバックライトを内蔵した画像表示装置からなり、表示板４の後述する第１の表示窓に対応する第１の表示領域ＡＲ１と、表示板４に覆われて不可視となる第２の表示領域ＡＲ２とを有している。
【００２１】
第１の表示領域ＡＲ１は、第１の表示窓の形状に対応した円形に形成され、任意情報、例えば図示しないナビゲーションユニットからの入力信号に応じてナビゲーション情報からなる第１の表示画像３１を表示する。図１に示す例では、「３００ｍ先左折」なる文字情報によってナビゲーション情報（進路誘導情報）からなる第１の表示画像３１を示す例が示されている。
【００２２】
第２の表示領域ＡＲ２は、表示板４の後述する指標部の配列形状に沿った円弧帯状に形成され、前記第１の表示窓の形状に対応した円形に形成され、例えば車速情報からなる入力信号に応じて前記指標部を指示する指針画像かなる第２の表示画像３２を表示する。図１に示す例では、第２の表示画像３２が「６０」なる前記指標部を指示し、これによって現在の車速が「６０ｋｍ／ｈ」であることを観察者に知らせている。なお第２の表示画像３２は、直接観察者に視認されるのではなく、反射手段５，６を通じて視認されるものである。
【００２３】
表示板４は、例えば周知の印刷パネルからなり、絞り加工を施すことにより、ケース１と合致するケース体形状に設けられている。
【００２４】
この表示板４には、第１の表示窓４１と、第２の表示窓４２と、指標部４３とが形成されている。
【００２５】
第１の表示窓４１は、表示手段３の第１の表示領域ＡＲ１に対応したもので、第１の表示領域ＡＲ１を視認可能とするために円形に設けられている。
【００２６】
第２の表示窓４２は、第１の表示窓４１の外側であって、反射手段６に対応した位置に指標部４３に沿って円弧帯状に延び、各反射手段５，６を通じて前記観察者側に反射する第２の表示画像３２を視認できるように形成されている。
【００２７】
指標部４３は、第２の表示窓４２の内側に位置する目盛部と、第２の表示窓４２の外側に位置する数字部とが対となって車速を表示する。
【００２８】
またこの第２の表示窓４２には、例えば透明な合成樹脂からなるレンズ部材７が嵌め込み固定されている。
【００２９】
このレンズ部材７は、観察者側が凸面となる断面蒲鉾形に形成され、このレンズ部材７を通して第２の表示画像３２を視認させる構成である。
【００３０】
反射手段５，６は、例えば合成樹脂からなる基材の表面にミラー層をコーティングを施してなる一対のミラー部材からなり、それぞれが指標部４３の配列形状に沿った円弧帯状に形成されている。
【００３１】
このうち、第１の反射手段５は、反射手段６よりも小さな円弧帯状を有し、表示板４と第２の表示領域ＡＲ２との間に位置して、その外側の面が第２の表示領域ＡＲ２に対向するよう傾斜して設けられており、第２の表示画像３２を第２の反射手段６に向けて反射する。
【００３２】
第２の反射手段６は、第１の反射手段５よりも大きな円弧帯状を有し、表示板４の背後に位置して、その内側の面が第１の反射手段５及び第２の表示窓４２の双方に対向するよう傾斜して設けられており、第１の反射手段５を通じて反射された第２の表示画像３２を第２の第２の表示窓４２側に反射し、その反射像がレンズ部材７を通じて視認される。
【００３３】
以上のように、本実施形態では、第１の表示窓４１とこの第１の表示窓４１の外周に沿って形成された指標部４３とを有する表示板４と、この表示板４の背後に配置される表示手段３とを備え、表示手段３が第１の表示窓４１を通じて視認可能な第１の表示領域ＡＲ１と表示板４に覆われて不可視となる第２の表示領域ＡＲ２とを有し、第１の表示領域ＡＲ１にて任意情報からなる第１の表示画像３１を、第２の表示領域ＡＲ２にて指標部４３を指示する第２の表示画像３２をそれぞれ表示する画像表示装置からなり、表示板４であって第１の表示窓４１の外側に指標部４３に沿って延びる第２の表示窓４２を形成し、表示板４の背後であって第２の表示窓４２と第２の表示領域ＡＲ２との間に第２の表示画像３２を第２の表示窓４２側に反射することにより第２の表示窓４２を通して第２の表示画像３２を視認させる反射手段５，６を設けたことにより、表示手段３にて形成される第２の表示画像３２によって指標部４３が指示されるため、指針を移動させる可動体や、支持手段、駆動源といった指針駆動機構が不要となり、また表示手段のサイズが必要最小限に抑えられるため、結果、コスト低減と小型化を実現することができる。
【００３４】
また本実施形態では、反射手段５，６が第２の表示領域ＡＲ２に対向し第２の表示画像３２を第１の表示領域ＡＲ１から遠ざかる方向に反射する第１の反射部材５と、この第１の反射部材５及び第２の表示窓４２の各々に対向し第１の反射部材５を通じて反射された第２の表示画像３２を表示窓４２に向けて反射する第２の反射部材６とでなることにより、必要最小限の構成にて反射手段を構成することがき、コスト低減に効果がある。なお第１，第２の反射手段５，６は、透明材を利用することで一部品にて構成することができる。すなわち透明材の相対向する外壁面を第１，第２の反射手段５，６として利用することで一部品化も可能である。
【００３５】
また本実施形態では、第２の表示窓４２に少なくとも観察者側に凸面を有するレンズ部材７を配置したことにより、表示に立体感を与え、斬新な見栄えを可能とすることができる。
【００３６】
図３は本発明の第２の実施形態を示す正面図であり、本実施形態では、第２の表示画像３２は指示すべき指標部４３の位置に応じて表示長が変化する帯状画像でなるものである。
【００３７】
すなわち、第２の表示画像３２の端部Ｅの位置は、指示すべき指標部４３の位置に応じて変化し、図３に示す例では、現在の車速が８０ｋｍ／ｈであることを指示している。
【００３８】
このように構成される本実施形態によれば、表示長が変化する帯状画像によって指標部が４３指示されるため、視認性を向上させることができる。
【００３９】
なお前記第１，第２の実施形態では、第２の表示画像３２によって車速のみを指示する例を示したが、複数の計測対象を指示することもできる。また第２の表示画像３２は指針画像だけではなく、例えばクルーズコントロールや警報領域表示等、様々な用途に利用できる。
【符号の説明】
【００４０】
１   ケース
２  回路基板
３  表示手段
４  表示板
５，６  反射手段
７  レンズ部材
３１  第１の表示画像
３２  第２の表示画像
４１  第１の表示窓
４２  第２の表示窓
４３  指標部
ＡＲ１  第１の表示領域
ＡＲ２  第２の表示領域
Ｅ  端部
【図１】
2010164497.tif 000003
【図２】
2010164497.tif 000004
【図３】
2010164497.tif 000005